(57)【要約】【課題】外部機器との間でデータの送受信を簡単に行うことができるカメラおよび携帯端末を提供すること。【解決手段】近接通信部１８は、外部機器との間で近接無線通信を行う。変位検出部１３は、外部機器９との間で通信が確立した場合に、該確立した後のカメラ本体３の変位を検出する。送受信制御部２０１は、近接通信部１８を介し、外部機器９に対するデータの送信および外部機器９から送信されたデータの受信を制御するが、このとき、変位検出部１３によって検出されたカメラ本体３の変位の方向に応じてデータの送信とデータの受信とを切り換える。【選択図】図６
2010045681.tif 000002
【特許請求の範囲】
【請求項１】
外部機器との間で近接無線通信を行う近接通信部と、
前記近接通信部を介し、前記外部機器に対するデータの送信および前記外部機器から送信されたデータの受信を制御する送受信制御部と、
装置本体の変位を検出する変位検出部と、
を備え、
前記変位検出部は、前記外部機器との間で通信が確立した場合に、該確立した後の前記装置本体の変位を検出し、
前記送受信制御部は、前記変位検出部によって検出された前記装置本体の変位の方向に応じて、前記データの送信と前記データの受信とを切り換えて制御することを特徴とするカメラ。
【請求項２】
前記装置本体の前面には撮像レンズが配設されており、
前記近接通信部のアンテナが、前記撮像レンズが配設された前記装置本体の前面側に配置されていることを特徴とする請求項１に記載のカメラ。
【請求項３】
前記装置本体の姿勢を検出する姿勢検出部を備え、
前記送受信制御部は、前記姿勢検出部による検出結果をもとに、前記外部機器との間で通信が確立したときの前記装置本体の姿勢が、予め設定される基準姿勢か否かを判定することを特徴とする請求項１または２に記載のカメラ。
【請求項４】
前記送受信制御部は、前記撮影レンズの光軸方向と直交する面内で前記装置本体が第１の方向に変位した場合に前記データの送信を制御し、前記第１の方向とは逆の第２の方向に変位した場合に前記データの受信を制御することを特徴とする請求項１〜３のいずれか１つに記載のカメラ。
【請求項５】
前記送受信制御部は、前記変位検出部によって検出された前記装置本体の変位速度を加味して前記第１の方向への変位および前記第２の方向への変位を検出することを特徴とする請求項４に記載のカメラ。
【請求項６】
前記送受信制御部は、前記変位検出部によって前記第１の方向への変位および前記第２の方向への変位を連続して検出した場合に、前記装置本体の変位を変位速度が速い方の変位として検出することを特徴とする請求項５に記載のカメラ。
【請求項７】
外部機器との間で近接無線通信を行う近接通信部と、
前記近接通信部を介し、前記外部機器に対するデータの送信および前記外部機器から送信されたデータの受信を制御する送受信制御部と、
装置本体の変位を検出する変位検出部と、
を備え、
前記変位検出部は前記装置本体の変位を検出し、
前記送受信制御部は、前記変位検出部によって検出された前記装置本体の変位の方向に応じて、前記データの送信と前記データの受信とを切り換えて制御することを特徴とする携帯端末。
【発明の詳細な説明】
【技術分野】
【０００１】
本発明は、カメラおよび携帯端末に関するものである。
【背景技術】
【０００２】
近年、パソコンの普及やテレビの大画面化に伴い、デジタルカメラで撮影した画像をパソコンやテレビに表示させて楽しむユーザが増えている。また、この他にも、デジタルカメラで撮影した画像が蓄積されたメモリカード等の記録媒体から画像を読み出して専用の表示装置に表示するデジタルフォトフレームが実用化されている。
【０００３】
また、物体の動きを検出したり、タッチデバイスに対する指の動き等を検出することで直感的な操作入力を実現する装置が知られている（例えば特許文献１，２を参照）。すなわち、特許文献１には、ユーザが把持または着用する物体の動作を検出し、その動作パターンに応じて制御対象機器の動作制御を行う技術が開示されている。また、特許文献２には、直感的な手のコンフィギュレーションと動きによって、タイプ入力等の手操作入力を実現する装置が開示されている。
【０００４】
【特許文献１】特開２００５−５９８１２号公報
【特許文献２】特表２００２−５０１２７１号公報
【発明の開示】
【発明が解決しようとする課題】
【０００５】
特許文献１，２のように、従来から直感的な操作入力を実現する技術が知られている。しかしながら、上記のようにカメラで撮影した画像を外部機器に表示させる場合には、外部機器への送信指示や記録媒体からの読み出し指示等の操作入力の他に、その都度カメラを外部機器とケーブル接続したり、カメラから記録媒体を取り外して外部機器に装着するといった作業が必要であった。外部機器のデータをカメラ側で再生しようとする場合も同様であり、これらの作業が手間であった。
【０００６】
本発明は、上記に鑑みてなされたものであって、外部機器との間でデータの送受信を簡単に行うことができるカメラおよび携帯端末を提供することを目的とする。
【課題を解決するための手段】
【０００７】
上述した課題を解決し、目的を達成するため、本発明にかかるカメラは、外部機器との間で近接無線通信を行う近接通信部と、前記近接通信部を介し、前記外部機器に対するデータの送信および前記外部機器から送信されたデータの受信を制御する送受信制御部と、装置本体の変位を検出する変位検出部と、を備え、前記変位検出部は、前記外部機器との間で通信が確立した場合に、該確立した後の前記装置本体の変位を検出し、前記送受信制御部は、前記変位検出部によって検出された前記装置本体の変位の方向に応じて、前記データの送信と前記データの受信とを切り換えて制御することを特徴とする。
【０００８】
また、本発明にかかるカメラは、上記の発明において、前記装置本体の前面には撮像レンズが配設されており、前記近接通信部のアンテナが、前記撮像レンズが配設された前記装置本体の前面側に配置されていることを特徴とする。
【０００９】
また、本発明にかかるカメラは、上記の発明において、前記装置本体の姿勢を検出する姿勢検出部を備え、前記送受信制御部は、前記姿勢検出部による検出結果をもとに、前記外部機器との間で通信が確立したときの前記装置本体の姿勢が、予め設定される基準姿勢か否かを判定することを特徴とする。
【００１０】
また、本発明にかかるカメラは、上記の発明において、前記送受信制御部は、前記撮影レンズの光軸方向と直交する面内で前記装置本体が第１の方向に変位した場合に前記データの送信を制御し、前記第１の方向とは逆の第２の方向に変位した場合に前記データの受信を制御することを特徴とする。
【００１１】
また、本発明にかかるカメラは、上記の発明において、前記送受信制御部は、前記変位検出部によって検出された前記装置本体の変位速度を加味して前記第１の方向への変位および前記第２の方向への変位を検出することを特徴とする。
【００１２】
また、本発明にかかるカメラは、上記の発明において、前記送受信制御部は、前記変位検出部によって前記第１の方向への変位および前記第２の方向への変位を連続して検出した場合に、前記装置本体の変位を変位速度が速い方の変位として検出することを特徴とする。
【００１３】
また、本発明にかかる携帯端末は、外部機器との間で近接無線通信を行う近接通信部と、前記近接通信部を介し、前記外部機器に対するデータの送信および前記外部機器から送信されたデータの受信を制御する送受信制御部と、装置本体の変位を検出する変位検出部と、を備え、前記変位検出部は前記装置本体の変位を検出し、前記送受信制御部は、前記変位検出部によって検出された前記装置本体の変位の方向に応じて、前記データの送信と前記データの受信とを切り換えて制御することを特徴とする。
【発明の効果】
【００１４】
本発明によれば、カメラや携帯端末を外部機器に近づけ、その後装置本体を所定の方向に動かすだけで、ケーブル接続等の作業を必要とせずに、且つ送信指示や受信指示等の操作入力を行うことなく外部機器との間でデータの送受信を簡単に行うことができるという効果を奏する。
【発明を実施するための最良の形態】
【００１５】
以下、図面を参照し、本発明の好適な実施の形態について詳細に説明する。なお、この実施の形態によって本発明が限定されるものではない。また、各図面の記載において、同一部分には同一の符号を付して示している。
【００１６】
（実施の形態）
図１は、本発明のカメラを適用したデジタルカメラ１の前面側を示す概略斜視図であり、図２は、デジタルカメラ１の背面側を示す概略斜視図である。図１に示すように、デジタルカメラ１は、カメラ本体３の前面に撮像レンズ４が配設され、この撮像レンズ４を通して入射する被写体像を撮像する撮像部１１（図６を参照）をカメラ本体３の内部に備えている。一方、カメラ本体３の上面には、撮影タイミングを指示するためのレリーズスイッチ５が配設されている。そして、カメラ本体３の背面には、各種画面を表示する表示部１５、電源投入やモードの選択といった各種操作を入力するための固有の機能が割り当てられた複数のボタンスイッチ７等が配設されている。また、カメラ本体３の前面側からみて左側の端部部分がユーザの右手により保持されるグリップ部８を形成しており、上面のレリーズスイッチ５や背面のボタンスイッチ７は、グリップ部８を保持した状態で操作可能な位置に配置されている。
【００１７】
そして、デジタルカメラ１の電源を投入（ＯＮ）し、撮影モードを選択すると、デジタルカメラ１は撮影可能な状態となり、撮像レンズ４を通して入射する被写体像がライブビュー画像としてリアルタイムに表示部１５に表示されるようになっている。ユーザは、グリップ部８を保持してカメラ本体３を構え、表示部１５のライブビュー画像を見ながらレリーズスイッチ５を押下して静止画や動画を撮影し、あるいは撮影した静止画や動画を表示部１５に表示（再生）して楽しむ。
【００１８】
このデジタルカメラ１は、図１に示すように、カメラ本体３のグリップ部８が形成された端部と反対の端部側において、パソコンや携帯電話機、テレビ等の外部機器に具備される近接通信部と近接無線通信を行うための近接通信部１８を内蔵している。なお、以下では、外部機器をノートパソコンとして例示する。
【００１９】
図３は、デジタルカメラ１と外部機器９とが通信を行う様子を側面側から示した説明図である。デジタルカメラ１の近接通信部１８は、そのアンテナがカメラ本体３の前面側に配置されるように具備される。一方、外部機器９であるノートパソコンの近接通信部９６は、そのアンテナがキーボード面側に配置されるように設けられており、互いに通信可能圏内に近接されると、デジタルカメラ１と外部機器９との間で通信が確立されるようになっている。このように、本実施の形態では、近接通信部１８の配置によって通信時のカメラ本体３の前後方向の姿勢を規定している。すなわち、外部機器９のキーボード面に対してカメラ本体３の前面側を対向させた状態でデジタルカメラ１を外部機器９に近づけると通信が確立される一方、外部機器９のキーボード面に対してカメラ本体３の背面側を近づけても通信が確立されない。また、ユーザにとっては、撮影時や再生時と同様の要領でカメラ本体３のグリップ部８を保持して外部機器９に近づければよく、デジタルカメラ１の表示部１５が見える状態で、かつ外部機器９の表示部９２も見える状態で通信が行える。これにより、通信の際、表示部１５，９２の表示によって送受信の成否や送受したデータの内容等を容易に目視確認することができる。
【００２０】
そして、デジタルカメラ１は、外部機器９との間で通信が確立すると、確立した後のカメラ本体３の変位を検出し、検出した変位をもとに、デジタルカメラ１から外部機器９へのデータの送信と外部機器から送信されたデータの受信とを切り換えて行う。具体的には、データの送信指示と受信指示とをカメラ本体３の変位の方向によって区別し、データの送信指示であれば外部機器９にデータを送信する。一方、データの受信指示であれば外部機器９から送信されたデータを受信する。図４は、外部機器９に対するデータの送信指示を説明する説明図であり、図５は、外部機器９からのデータの受信指示を説明する説明図である。
【００２１】
外部機器９にデータを送信したい場合には、ユーザは、図４中に矢印Ａ１１で示すように、先ずカメラ本体３を外部機器９に近づけ、通信を確立させる。図４の例では、外部機器９のキーボード面において、向かって右側端部に近接通信部９６が設けられており、このキーボード面の右側端部にカメラ本体３（詳細にはグリップ部８と反対の端部側）を近づけると通信が確立される。続いて、図４中に矢印Ａ１３で示すように、外部機器９のキーボード面上で、その右側端部から左方向へとカメラ本体３を横にスライドさせて動かす。このようにしてカメラ本体３をスライドさせると、デジタルカメラ１から外部機器９へとデータが送信される。この送信指示は一例であるが、本例によれば、外部機器９の外側から内側へとカメラ本体３を押し込んで画像を送り出す直感的な動作（アクション）でデジタルカメラ１のデータを外部機器９に送信することができる。
【００２２】
デジタルカメラ１から外部機器９へと送信されるデータは、デジタルカメラ１に記録されている撮影データであり、例えば、デジタルカメラ１で撮影された静止画や動画のデータである。このとき、撮影された全ての静止画および動画のデータを送信することとしてもよいし、これらの中からユーザが指定したデータを送信することとしてもよい。また、動画の撮影中に録音された音データ等、デジタルカメラ１で録音された音データを送信するようにしてもよい。データの送信中、デジタルカメラ１の表示部１５には、送信画面Ｗ１が表示されるようになっている。これにより、デジタルカメラ１で撮影された撮影データを外部機器９において再生・鑑賞できるようになる。
【００２３】
一方、外部機器９からのデータを受信したい場合には、ユーザは、図５中に矢印Ａ２１で示すように、先ずカメラ本体３を外部機器９のキーボード面の右側端部に近づけ、通信を確立させる。続いて、図５中に矢印Ａ２３で示すように、外部機器９のキーボード面上で、その右側端部から右方向へとカメラ本体３を横にスライドさせて動かす。このようにしてカメラ本体３をスライドさせると、外部機器９へとデータの送信要求が送信される。そして、外部機器９からデジタルカメラ１へとデータが送信され、デジタルカメラ１は、この外部機器９から送信されたデータを受信する。この受信指示は一例であるが、本例によれば、外部機器９の内側から外側へとカメラ本体３を引き離して画像を受信（受信）する直感的なアクションで外部機器９にデータを送信させ、このデータを受信することができる。
【００２４】
外部機器９からデジタルカメラ１へと送信されるデータは、外部機器９に記録されているデータであり、外部機器９がインターネットに接続してダウンロードしたコンテンツデータが含まれる。これにより、デジタルカメラ１を携帯するユーザが必要とするデータ、例えばデジタルカメラ１の撮影マニュアルや外出先の地図といったデータを受信することができ、受信したデータをデジタルカメラ１で閲覧できるようになる。あるいは、コンテンツデータとして音楽コンテンツを受信することとしてもよい。データの受信中、デジタルカメラ１の表示部１５には、受信画面Ｗ２が表示されるようになっており、データを受信した後は、デジタルカメラ１において受信したコンテンツデータを再生することができる。これにより、デジタルカメラ１において、例えば撮影した静止画や動画を再生する際に音楽コンテンツをＢＧＭとして再生するといったことが可能となる。
【００２５】
図６は、デジタルカメラ１および外部機器９の主要内部構成の一例を示すブロック図である。図６に示すように、デジタルカメラ１は、撮像部１１、画像処理部１２、変位検出部１３、操作部１４、表示部１５、記録部１６、時計部１７、近接通信部１８、制御部２０等を備える。
【００２６】
撮像部１１は、撮像レンズ４を通して入射する被写体像を光電変換し、アナログ電気信号を出力するＣＣＤ（Charge Coupled Device）やＣＭＯＳ（Complementary Metal Oxide Semiconductor）等の撮像素子を含み、撮像素子からのアナログ電気信号をデジタル電気信号に変換して画像データを出力する。
【００２７】
画像処理部１２は、撮像部１１から出力された画像データに対して各種の画像処理を施すとともに、記録用や表示用に適した画像データに変換する処理を行う。例えば、撮影画像の画像データを記録する際、あるいは記録されている画像データを表示する際等に、ＪＰＥＧ（Joint Photographic Experts Group）方式等に基づく画像データの圧縮処理や伸張処理を行う。
【００２８】
変位検出部１３は、カメラ本体３の変位を検出するためのものであり、カメラ本体３に生じる加速度を検出する公知の加速度センサや、カメラ本体３が回転したときの角速度を検出する公知の角速度センサ等で実現される。なお、従来から、手ぶれによる画像ぶれを補正するために角速度センサや加速度センサを備えたデジタルカメラが知られており、このようなデジタルカメラに適用する場合には、新たな構成を追加することなくカメラ本体３の変位を検出することができる。
【００２９】
図７は、変位検出部１３によるカメラ本体３の変位検出を説明するための図である。図７に示すように、例えば、デジタルカメラ１の光学系（撮像レンズ４）の光軸方向をＺ軸方向とし、Ｚ軸方向に垂直な平面（撮像素子の撮像面）をＸＹ平面として各軸方向を定義する。ここで、Ｘ，Ｙ，Ｚ軸は、デジタルカメラ１に固定されたローカルな座標軸であり、カメラ本体３の姿勢とは無関係である。変位検出部１３は、Ｘ，Ｙ，Ｚ軸の各軸方向の加速度を個別の加速度センサや３軸の加速度センサによって検出し、Ｘ，Ｙ，Ｚ軸の各軸回りの角速度を個別のジャイロ等によって検出する。そして、変位検出部１３は、加速度センサの検出結果をもとにカメラ本体３の移動量を検出するとともに、角速度センサの検出結果をもとにカメラ本体３の回転量を検出し、カメラ本体３の変位として検出する。本実施の形態では、図７中に矢印Ａ３で示すカメラ本体３のＸ軸方向に対する変位の方向から、図４に示したカメラ本体３の右から左へとスライドされた変位および図５に示したカメラ本体３の左から右へとスライドされた変位を検出する。
【００３０】
図８，図９−１〜３は、加速度センサを用いたカメラ本体３の移動量の検出原理の一例を説明する図である。図８に示すように、加速度センサは、チップ表面に固定された固定電極２１１，２１３と、この固定電極２１１，２１３上に架橋され、加速度に起因して矢印Ａ５の方向に移動する可動電極２１５とを有する。そして、固定電極２１１と可動電極２１５との間の静電容量の変化および固定電極２１３と可動電極２１５との間の静電容量の変化を検出して加速度を検出する。この加速度センサの出力（図９−１）を積分することで速度が得られ（図９−２）、さらに積分することで移動量が得られる（図９−３）。また、図１０，図１１は、角速度センサを用いたカメラ本体３の回転量の検出原理の一例を説明する図である。図１０に示すように、角速度センサは、圧電セラミック素子が形成された一対の振動体２２１，２２３を有し、この振動体２２１，２２３を図１０中に示す振動方向に振動させた状態で、コリオリ力を利用して角速度を検出するものである。そして、この角速度センサの出力を積分することで回転量が得られる（図１１）。
【００３１】
図６に示す操作部１４は、撮影の開始指示、静止画撮影や動画撮影等の撮影モード、再生モード、通信モードといったモードの選択操作、撮影条件の設定操作等、ユーザによる各種操作を受け付けて操作信号を制御部２０に通知するためのものである。この操作部１４は、図１のレリーズスイッチ５やボタンスイッチ７を含む。
【００３２】
表示部１５は、撮影された静止画や動画、ライブビュー画像の他、デジタルカメラ１の各種設定情報等を表示するためのものであり、ＬＣＤ（Liquid Crystal Display）やＥＬディスプレイ（Electroluminescence Display）等の表示装置で実現される。この表示部１５には、撮影モード中は例えば１フレーム毎にライブビュー画像が再描画されて動画的に連続表示され、再生モード中は撮影された静止画や動画が表示される。
【００３３】
記録部１６は、デジタルカメラ１を動作させ、このデジタルカメラ１が備える種々の機能を実現するための各種のカメラプログラムや、このカメラプログラムの実行中に使用されるデータ等を記録しておくためのものであり、撮影された静止画データ、動画データ、音データ等の撮影データや、外部機器９から受信したコンテンツデータ等を記録しておくためのものである。この記録部１６は、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜採用して用いることができる。
【００３４】
時計部１７は、日付および時刻を計時するためのものである。この時計部１７が計時する現在時刻によって、静止画や動画の撮影日および撮影時刻が特定され、撮影された静止画や動画は、撮影日および撮影時刻とともに記録部１６に記録されるようになっている。
【００３５】
近接通信部１８は、外部機器９との間で近接無線通信を行うためのものであり、アンテナによって外部機器９の近接通信部９６との間で電波信号を送受信し、受信信号を復調処理するとともに、送信信号を変調処理する送受信回路等で構成される。この近接通信部１８は、アンテナに生じた電磁誘導によって、停止状態または待機状態にある制御部２０を起動する起動部１９を備えている。
【００３６】
制御部２０は、ＣＰＵ等で実現され、操作部１４からの操作信号等に応じて記録部１６からカメラプログラムを読み出して実行し、デジタルカメラ１を構成する各部に対する指示やデータの転送等を行ってデジタルカメラ１の動作を統括的に制御する。この制御部２０は、近接通信部１８を介して外部機器９にデータを送信し、外部機器９から送信されたデータを受信する制御を行う送受信制御部２０１を含み、上記したカメラプログラムは、制御部２０を送受信制御部２０１として機能させるためのプログラムを含む。送受信制御部２０１は、近接通信部１８によって外部機器９との間で通信が確立された場合に変位検出部１３を起動してカメラ本体３の変位を検出させる。そして、送受信制御部２０１は、変位検出部１３による変位検出の結果をもとに、外部機器９に対するデータの送信と外部機器９から送信されたデータの受信とを切り換えて制御する。
【００３７】
一方、外部機器９は、図６に示すように、操作部９１、表示部９２、通信部９３、放送受信部９４、記録部９５、近接通信部９６、制御部９７等を備える。
【００３８】
操作部９１は、例えば、キーボードやマウス、リモコン、タッチパネル、各種スイッチ等の各種入力装置によって実現されるものであり、操作入力に応じた操作信号を制御部９７に出力する。テレビを視聴する場合には、操作部９１によってチャンネルの選択、音量の増減等の各種操作を入力する。表示部９２は、ＬＣＤやＥＬディスプレイ等の表示装置によって実現されるものであり、制御部９７から入力される表示信号に基づいて各種画面を表示する。
【００３９】
通信部９３は、インターネットへの接続等の処理を行うためのものであり、ネットワークＮを介して接続される他の装置との間でデータ通信を行う。ここで、ネットワークＮは、例えば、インターネットおよびインターネットに接続するための各種通信回線と、それらを接続するインターネットプロバイダ等を含む。
【００４０】
放送受信部９４は、放送局から送出される放送番組の放送波を受信するためのものである。この放送受信部９４は、アンテナやチューナ等で構成され、アンテナによって受信された放送信号の中から選択されたチャンネルの信号を選局し、復調処理等の信号処理を行って放送番組の映像データおよび音データを制御部９７に出力する。
【００４１】
記録部９５は、外部機器９を動作させ、この外部機器９が備える種々の機能を実現するためのプログラムや、このプログラムの実行中に使用されるデータ等を記録しておくためのものであり、インターネットに接続する等して取得したコンテンツデータ、デジタルカメラ１から受信した静止画データや動画データ等を記録しておくためのものである。この記録部９５は、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜選択して用いることができる。
【００４２】
近接通信部９６は、デジタルカメラ１との間で近接無線通信を行うためのものであり、アンテナによってデジタルカメラ１の近接通信部１８との間で電波信号を送受信し、受信信号を復調処理するとともに、送信信号を変調処理する送受信回路等を備える。この近接通信部９６からは、その存在を報知する通信信号が定期的に送出されるようになっている。通信信号は、デジタルカメラ１の電源を投入するためのものである。ノートパソコン等を想定している外部機器９では、ＡＣ電源アダプタが利用でき、また充電池の充電容量が大きく、デジタルカメラ１と比較して電源的に有利である。このため、本実施の形態では、外部機器９から通信信号を定期的に送出することでデジタルカメラ１を自動的に電源投入できるようにしている。
【００４３】
制御部９７は、ＣＰＵ等で実現され、操作部９１から入力される操作信号、記録部９５に記録されるプログラムやデータ等に基づいて外部機器９を構成する各部への指示やデータの転送等を行い、外部機器９の動作を統括的に制御する。例えば、制御部９７は、放送受信部９４から入力された映像データの表示処理や、インターネットに接続して取得したコンテンツデータに基づく再生表示処理、デジタルカメラ１から送信された静止画データや動画データの再生表示処理を行う。また、制御部９７は、放送受信部９４から入力された音データの出力処理や、インターネットに接続して取得したコンテンツデータに基づく音の再生処理、デジタルカメラ１から送信された音データの再生処理を行い、図示しないスピーカから出力させる。
【００４４】
次に、デジタルカメラ１が行う処理手順について説明する。本実施の形態のデジタルカメラ１は、電源が遮断された状態であっても、外部機器９から送出されている通信信号によって自動的に電源を投入し、データの送受信処理を開始するようになっている。図１２は、送受信処理の手順を示すフローチャートである。
【００４５】
図１２に示すように、デジタルカメラ１の近接通信部１８が外部機器９の近接通信部９６の通信可能圏内に近接されると、近接通信部９６が定期的に送出している通信信号の受信によって近接通信部１８のアンテナに電磁誘導が生じ、外部機器９との間で通信が確立する（ステップａ１）。詳細にはこのとき、近接通信部１８の起動部１９が、アンテナに生じた電磁誘導によって制御部２０を起動し、デジタルカメラ１の電源がＯＮされる（ステップａ３）。
【００４６】
このようにしてデジタルカメラ１の電源がＯＮされると、続いて送受信制御部２０１が、変位検出部１３を起動してカメラ本体３の変位を検出させる（ステップａ５）。そして、送受信制御部２０１は、変位検出部１３による変位検出の結果をもとに、データの送信指示および受信指示を検出する。そして、送受信制御部２０１は、送信指示があった場合、すなわち図４に示したカメラ本体３の右から左へとスライドされた変位を検出した場合には（ステップａ７：Ｙｅｓ）、送信制御処理を行って（ステップａ９）、その後ステップａ１５に移行する。
【００４７】
一方、送受信制御部２０１は、受信指示があった場合、すなわち図５に示したカメラ本体３の左から右へとスライドされた変位を検出した場合には（ステップａ１１：Ｙｅｓ）、受信制御処理を行って（ステップａ１３）、その後ステップａ１５に移行する。また、データの送信指示が検出されず（ステップａ７：Ｎｏ）、受信指示も検出されない場合にも（ステップａ１１：Ｎｏ）、ステップａ１５に移行する。
【００４８】
すなわち、ステップａ１５では、送受信制御部２０１は、変位検出部１３および近接通信部１８を停止状態にし、本処理を終える。
【００４９】
ここで、送受信制御部２０１が行う送信制御処理および受信制御処理について説明する。図１３は、送信制御処理の手順を示すフローチャートであり、図１４は、受信制御処理の手順を示すフローチャートである。
【００５０】
図１３に示すように、送信制御処理では、送受信制御部２０１は先ず、近接通信部１８による受信を禁止する（ステップｂ１）。そして、送受信制御部２０１は、近接通信部１８を介し、外部機器９に受信依頼信号の送信処理を行う（ステップｂ３）。なお、この受信依頼信号を受信した外部機器９は、受信モードとなる（図１６のステップｅ５（Ｙｅｓ）〜ステップｅ８を参照）。続いて、送受信制御部２０１は、近接通信部１８を介し、記録部１６に記録されている撮影データ（静止画や動画のデータ、音データ）の全部または一部を外部機器９に送信する処理を行う（ステップｂ５）。そして、送受信制御部２０１は、データの送信に成功した場合には（ステップｂ７：Ｙｅｓ）、図１２のステップａ９にリターンする。
【００５１】
一方、データの送信に失敗したならば（ステップｂ７：Ｎｏ）、送受信制御部２０１は、警告表示処理を行い（ステップｂ９）、図１２のステップａ９にリターンする。具体的には、送受信制御部２０１は、通信に失敗した場合の他、記録部１６に静止画や動画のデータが記録されていない等の事態が生じた場合に、その旨のメッセージを表示部１５に表示する処理を行う。
【００５２】
また、図１４に示すように、受信制御処理では、送受信制御部２０１は先ず、近接通信部１８による送信を禁止する（ステップｃ１）。そして、送受信制御部２０１は、近接通信部１８を介し、外部機器９に送信依頼信号を送信する（ステップｃ３）。なお、この送信依頼信号を受信した外部機器９は、送信モードとなってコンテンツデータの送信を行う（図１６のステップｅ９〜ステップｅ１１を参照）。送受信制御部２０１は、近接通信部１８を介して外部機器９から送信されるデータ（コンテンツデータ）の受信処理を行う。データの受信に成功した場合には（ステップｃ７：Ｙｅｓ）、送受信制御部２０１は、受信したデータを記録部１６に記録する処理を行い（ステップｃ９）、図１２のステップａ１３にリターンする。なお、このとき、受信したコンテンツデータを表示部１５に表示させるようにしてもよい。
【００５３】
一方、データの受信に失敗したならば（ステップｃ７：Ｎｏ）、送受信制御部２０１は、警告表示処理を行って（ステップｃ１１）、図１２のステップａ１３にリターンする。具体的には、送受信制御部２０１は、通信に失敗した場合の他、外部機器９からコンテンツデータが送信されない等の事態が生じた場合に、その旨のメッセージを表示部１５に表示する処理を行なう。
【００５４】
次に、電源投入時のデジタルカメラ１の基本処理の手順について説明する。図１５は、デジタルカメラ１が行う基本処理の手順を示すフローチャートである。電源投入時、デジタルカメラ１は、ユーザ操作によって選択されるモードに応じた処理を行う。すなわち、現在選択されているモードが撮影モードの場合には（ステップｄ１：Ｙｅｓ）、制御部２０は、撮像部１１を起動して画像を取り込み（ステップｄ３）、取り込んだ画像をライブビュー画像として表示部１５に表示する処理を行う（ステップｄ５）。そして、撮影指示がない間は（ステップｄ７：Ｎｏ）、ステップｄ３に戻って処理を繰り返し、ライブビュー画像を１フレーム毎に更新表示させる。そして、レリーズスイッチ５が押下されて撮影が指示された場合には（ステップｄ７：Ｙｅｓ）、静止画または動画の撮影処理を行う（ステップｄ９）。すなわち、静止画撮影を行う場合には１回の撮影処理を行い、１枚の静止画データを生成して記録部１６に記録する。一方、動画撮影を行う場合であれば、静止画データを連続的に生成して動画データとして記録部１６に記録する。そして、制御部２０は、撮影された静止画データまたは動画データの記録を終えると（ステップｄ１１：Ｙｅｓ）、ステップｄ４５に移行する。なお、動画撮影時において、図示しないマイクによって集音される音声等の音の録音処理を行い、音データを生成して動画データと併せて記録することとしてもよい。
【００５５】
一方、現在のモードが撮影モードではなく（ステップｄ１：Ｎｏ）、再生モードの場合には（ステップｄ１３：Ｙｅｓ）、制御部２０は、記録部１６に記録されている撮影データを順次読み出して再生処理を行う（ステップｄ１５）。このとき、過去に静止画撮影された静止画データや動画撮影された動画データを先ずサムネイル形式で一覧表示させることとしてもよい。そして、一覧の中から選択されたものを再生表示することとしてもよい。また、動画を再生する際に、動画データと併せて記録されている音データを、図示しないスピーカから音出力するようにしてもよい。
【００５６】
この再生モード中にデジタルカメラ１と外部機器９との間で通信が確立すると（ステップｄ１７：Ｙｅｓ）、送受信制御部２０１が、変位検出部１３を起動してカメラ本体３の変位を検出させる（ステップｄ１９）。そして、送受信制御部２０１は、変位検出部１３による変位検出の結果をもとに、データの送信指示を検出する。そして、送受信制御部２０１は、送信指示があった場合、すなわち図４に示したカメラ本体３の右から左へとスライドされた変位を検出した場合には（ステップｄ２１：Ｙｅｓ）、送信制御処理を行う（ステップｄ２３）。この送信制御処理は、図１３に示した処理手順と同様にして行われる。なお、ここでの送信制御処理では、例えば、再生中の撮影データを外部機器９に送信する。そして、送受信制御部２０１は、変位検出部１３および近接通信部１８を停止状態にし（ステップｄ２５）、ステップｄ４５に移行する。
【００５７】
このように、再生モードでは、検出したカメラ本体３の変位が右から左へとスライドされた変位ではない場合や、カメラ本体３が動かされない場合には、データの送信を行わない。すなわち、再生モードでは、送信指示のみを受け付けて、送信指示があった場合にのみデータの送信を許可することができる。
【００５８】
また、現在のモードが再生モードではなく（ステップｄ１３：Ｎｏ）、通信モードの場合には（ステップｄ２７：Ｙｅｓ）、送受信制御部２０１が、近接通信部１８を起動する（ステップｄ２９）。そして、デジタルカメラ１と外部機器９との間で通信が確立すると（ステップｄ３１：Ｙｅｓ）、送受信制御部２０１は、変位検出部１３を起動してカメラ本体３の変位を検出させる（ステップｄ３３）。そして、送受信制御部２０１は、変位検出部１３による変位検出の結果をもとに、データの送信指示および受信指示を検出する。そして、送受信制御部２０１は、送信指示があった場合、すなわち図４に示したカメラ本体３の右から左へとスライドされた変位を検出した場合には（ステップｄ３５：Ｙｅｓ）、送信制御処理を行って（ステップｄ３７）、その後ステップｄ４３に移行する。ステップｄ３７の送信制御処理は、図１３に示した処理手順と同様にして行われる。
【００５９】
一方、送受信制御部２０１は、受信指示があった場合、すなわち図５に示したカメラ本体３の左から右へとスライドされた変位を検出した場合には（ステップｄ３９：Ｙｅｓ）、受信制御処理を行って（ステップｄ４１）、その後ステップｄ４３に移行する。ステップｄ４１の受信制御処理は、図１４に示した処理手順と同様にして行われる。また、データの送信指示が検出されず（ステップｄ３５：Ｎｏ）、受信指示も検出されない場合にも（ステップｄ３９：Ｎｏ）、ステップｄ４３に移行する。
【００６０】
すなわち、ステップｄ４３では、送受信制御部２０１は、変位検出部１３および近接通信部１８を停止状態にし、ステップｄ４５に移行する。
【００６１】
そして、ステップｄ４５では、基本処理を終了するか否かを判定する。例えば、ボタンスイッチ７の操作によって電源ＯＦＦが指示された場合に、本処理を終える（ステップｄ４５：Ｙｅｓ）。一方、終了しない場合には（ステップｄ４５：Ｎｏ）、ステップｄ１に戻る。
【００６２】
次に、外部機器９が行う処理手順について説明する。図１６は、外部機器９が行う基本処理の手順を示すフローチャートである。ここで、外部機器９は、電源が投入されていることを前提としている。
【００６３】
図１６に示すように、先ず制御部９７が、近接通信部９６による定期的な通信信号の送出処理を開始する（ステップｅ１）。そして、デジタルカメラ１と外部機器９との間で通信が確立すると（ステップｅ３：Ｙｅｓ）、続いて受信する信号に応じて処理を分岐する。すなわち、デジタルカメラ１から受信依頼信号を受信した場合には（ステップｅ５：Ｙｅｓ）、制御部９７は、受信モードとなって近接通信部９６を介してデジタルカメラ１から送信されるデータ（静止画データや動画データ、音データ）の受信処理を行う（ステップｅ７）。そして、制御部９７は、受信したデータを記録部９５に記録して（ステップｅ８）、ステップｅ２９に移行する。なお、このとき、受信したデータを表示部９２に表示させるようにしてもよい。
【００６４】
一方、送信依頼信号を受信した場合には（ステップｅ９：Ｙｅｓ）、制御部９７は、送信モードとなって近接通信部９６を介し、記録部９５に記録されているコンテンツデータの全部または一部を外部機器９に送信する処理を行う（ステップｅ１１）。例えば、予めユーザによるコンテンツの選択操作を受け付けて、選択されたコンテンツデータを送信するようにしてもよい。そして、コンテンツデータの送信を終えると、ステップｅ２９に移行する。
【００６５】
一方、ユーザ操作によってテレビの視聴が指示された場合には（ステップｅ１３：Ｙｅｓ）、制御部９７は、ユーザが選択したチャンネルの放送番組を出力するための処理を行う（ステップｅ１５）。テレビの視聴終了が指示された場合には、ステップｅ２９に移行する。また、ユーザ操作によってインターネットの接続指示が入力された場合には（ステップｅ１７：Ｙｅｓ）、制御部９７は、ネットワークＮを介してユーザが指定したサイトに接続するための処理を行う（ステップｅ１９）。インターネットへの接続の切断が指示された場合には、ステップｅ２９に移行する。
【００６６】
また、ユーザ操作によってコンテンツの記録指示が入力された場合には（ステップｅ２１：Ｙｅｓ）、ユーザが指定したコンテンツデータを記録部９５に記録する処理を行う（ステップｅ２３）。ここで記録されるコンテンツデータは、例えば、ステップｅ１９で接続したインターネット上のサイトで公開・提供されているコンテンツデータを含む。このコンテンツデータを記録する場合には、接続しているサイトにコンテンツデータのダウンロード要求を送信し、指定したコンテンツデータを取得して記録部９５に記録する。なお、コンテンツデータの取得はインターネット上で提供されているものに限定されず、例えばメモリカードやＣＤ−ＲＯＭ等の情報記録媒体によって提供されるものであってもよい。そして、コンテンツデータの記録を終えると、ステップｅ２９に移行する。
【００６７】
また、ユーザ操作によってコンテンツデータの再生指示が入力された場合には（ステップｅ２５：Ｙｅｓ）、ユーザが指定したコンテンツデータを記録部９５から読み出して再生する処理を行う（ステップｅ２７）。ここで再生されるコンテンツデータは、インターネットに接続等してダウンロードし、ステップｅ２３で記録部９５に記録したコンテンツデータの他、ステップｅ５（Ｙｅｓ）〜ステップｅ８で受信し記録部９５に記録したデジタルカメラ１からの撮影データ（静止画データや動画データ、音データ）が含まれる。コンテンツデータの再生終了が指示された場合には、ステップｅ２９に移行する。
【００６８】
そして、ステップｅ２９では、基本処理を終了するか否かを判定し、終了する場合には（ステップｅ２９：Ｙｅｓ）、本処理を終える。一方、終了しない場合には（ステップｅ２９：Ｎｏ）、ステップｅ１に戻る。
【００６９】
以上説明したように、本実施の形態によれば、外部機器９との間で通信が確立させた後、図４に示して説明したようにカメラ本体３を右から左へとスライドさせて動かすワンアクションで、外部機器９にデータを送信することができる。一方、外部機器９との間で通信が確立させた後、図５に示して説明したようにカメラ本体３を左から右へとスライドさせて動かすワンアクションで、外部機器９からデータを送信させ、このデータを受信することができる。これによれば、直感的かつ簡単なアクションで、デジタルカメラ１から外部機器９へのデータの送受信を切り換えて行うことができる。したがって、ケーブル接続等の作業を必要とせずに、且つデータの送信や受信を指示するメニュー操作等の操作入力を行うことなく外部機器との間でデータの送受信を簡単に行うことができるという効果を奏する。
【００７０】
また、デジタルカメラ１が電源遮断時であっても、デジタルカメラ１を外部機器９に近づけてカメラ本体３を左右にスライドさせるだけでデータの送受信を行えるので、デジタルカメラ１の電源の投入操作を行うことなくデータの送受信が行える。さらに、単にデジタルカメラ１と外部機器９との間で通信が確立しただけではデータの送受信は行われないので、外部機器９に対してデジタルカメラ１が誤って近づけられた場合等の誤送信を防止できる。さらに、カメラ本体３の変位を検出するための変位検出部１３および外部機器９との間で近接無線通信を行うための近接通信部１８を通信時のみにおいて起動し、通信を行っていない間は駆動しないようにした。これにより、デジタルカメラ１の電力の消費を抑えることが可能となる。
【００７１】
ここで、近接通信部１８，９６間の近接無線通信は、非接触状態で行われ、高速且つ大容量のデータ転送が可能な近接無線通信であって、例えば３７５Ｍｂｐｓ以上の転送速度を実現可能な非接触の近接無線通信を想定している。これにより、デジタルカメラ１に記録されている静止画データ、動画データ、音データ等の撮影データの全部または一部を瞬時に外部機器９に送信することができる。
【００７２】
以上、この発明の好適な実施の形態について説明したが、この発明は、上記したものに限定されず、発明の趣旨を逸脱しない範囲で適宜変更が可能である。
【００７３】
（変形例１）
図１７は、変形例１のデジタルカメラ１ａの主要内部構成の一例を示すブロック図である。また、図１８は、このデジタルカメラ１ａと外部機器９とが通信を行う様子を側面側から示した説明図である。なお、図１７および図１８において、上記した実施の形態と同様の構成には同一の符号を付している。
【００７４】
図１７に示すように、変形例１のデジタルカメラ１ａは、例えば重力センサ等で実現され、カメラ本体３の姿勢を検出する姿勢検出部２３ａを備える。姿勢検出部２３ａは、図１８に示すように、カメラ本体３の底部に配設されており、デジタルカメラ１ａに固定されたローカル座標軸（図７を参照）に対する重力の方向を姿勢情報として出力する。上記したように、このローカル座標軸はカメラ本体３の姿勢とは無関係であり、この姿勢検出部２３ａによって、外部機器９との間で通信が確立したときのカメラ本体３の姿勢を検出する。
【００７５】
図１９は、撮影時や再生時と同様の要領でデジタルカメラ１ａのカメラ本体３を保持した様子を示す図であり、通信時のカメラ本体３の正しい姿勢（基準姿勢）を示している。一方、図２０は、基準姿勢とは別のカメラ本体３の姿勢の一例を示す図であり、図１９に示す状態とカメラ本体３の上下を逆にしてデジタルカメラ１ａを保持した様子を示している。上記した実施の形態では、外部機器９との間で通信が確立した際のカメラ本体３の姿勢が、図１９に示す基準姿勢であることを前提としてカメラ本体３の変位を検出することとした。しかしながら、実際に通信確立時のカメラ本体３の姿勢が図１９に示す基準姿勢なのか、図２０に示すような基準姿勢とは別の姿勢なのかを判別できないという問題があった。
【００７６】
本変形例１では、図１７の制御部２０ａの送受信制御部２０１ａが、姿勢検出部２３ａから出力される姿勢情報をもとに、外部機器９との間で通信が確立したときのカメラ本体３の姿勢が基準姿勢か否かを判定する。すなわち、カメラ本体３の底面側を下に向けた姿勢の場合に基準姿勢と判定し、基準姿勢でなければデータの送受信を行わない。一方、通信確立時のカメラ本体３の姿勢を基準姿勢と判定した場合には、例えば図４に示したカメラ本体３の右から左へとスライドされた変位を送信指示として検出し、図５に示したカメラ本体３の左から右へとスライドされた変位を受信指示として検出する。
【００７７】
この変形例１によれば、カメラ本体３の上下左右方向の姿勢を規定することができる。したがって、通信が確立されたときのカメラ本体３の姿勢が基準姿勢の場合にのみデータの送受信を行うことができるので、データの送受信を確実に切り換えて行うことができる。
【００７８】
また、上記した実施の形態では、近接通信部１８の配置によってカメラ本体３の前後方向の姿勢を規定することとしたが、アンテナの感度が高い場合等では、カメラ本体３の背面側を外部機器９と対向させたとしても、通信が確立される場合が生じ得る。変形例１によれば、このような場合であっても、姿勢検出部２３ａの検出結果をもとにカメラ本体３の前後方向の姿勢を確実に規定することができ、データの送受信をより確実に切り換えて行うことができる。なお、外部機器９の近接通信部１８の近傍に例えば所定のマークを付しておき、通信確立時に撮像部１１から取り込まれる画像を解析処理してマークの有無を判別することによって、デジタルカメラの前面側（撮像レンズ４側）が対向するようにしてこれらが近づけられたか否かを判定するようにしてもよい。
【００７９】
（変形例２）
また、上記した実施の形態では、外部機器９をノートパソコンとして例示したが、例えばテレビを外部機器とすることとしてもよい。図２１は、デジタルカメラ１ａとテレビ９ｂとが通信を行う様子を側面側から示した説明図である。図２１に示すように、テレビ９ｂの近接通信部９６ｂは、表示部１５が配設される前面にアンテナが配置されるように設けられている。そして、この近接通信部９６ｂとデジタルカメラ１ａの近接通信部１８とが互いに通信可能圏内に近接されると、デジタルカメラ１ａとテレビ９ｂとの間で通信が確立される。したがって、デジタルカメラ１ａの表示部１５が見える状態で、かつテレビ９ｂの表示部９２ｂも見える状態で通信が行える。
【００８０】
このデジタルカメラ１ａは、変形例１で説明したように、カメラ本体３の底部に設けられた姿勢検出部２３ａによってデジタルカメラ１ａに固定されたローカル座標軸のＹ軸方向に対する重力の方向を検出し、通信確立時の基準姿勢を判定する。そして、例えば上記した実施の形態と同様に、テレビ９ｂの前面に向かって右から左へとカメラ本体３を横にスライドさせると、デジタルカメラ１ａからテレビ９ｂへとデータが送信され、デジタルカメラ１ａで撮影された静止画データや動画データ等をテレビ９ｂで再生・鑑賞できるようになる。また、テレビ９ｂの前面に向かって左から右へとカメラ本体３を横にスライドさせると、テレビ９ｂから送信されたデータを受信する。
【００８１】
（変形例３）
また、上記した実施の形態では、加速度センサや角速度センサ等の変位検出部１３によってカメラ本体３の変位を検出し、データの送信指示および送信指示を検出することとしたが、画像処理によってカメラ本体３の変位を検出するようにしてもよい。図２２は、この場合のデジタルカメラ１ｃの主要内部構成の一例を示すブロック図である。なお、図２２において、上記した実施の形態と同様の構成には同一の符号を付している。変形例３のデジタルカメラ１ｃは、図６の変位検出部１３にかえて画像変化検出部２５ｃを備え、送受信制御部２０１ｃを含む制御部２０ｃを備える。
【００８２】
画像変化検出部２５ｃは、撮像部１１から出力される画像データをもとにフレーム間の動きを検出するためのものであり、１フレーム毎に撮像部１１によって取り込まれる各ライブビュー画像に映る同一の被写体位置の変化量を表す動きベクトルを算出する。そして、制御部２０ｃの送受信制御部２０１ｃは、画像変化検出部２５ｃによって算出された動きベクトルをもとにカメラ本体３の移動方向を判定することで、図４に示したカメラ本体３の右から左へとスライドされた変位や図５に示したカメラ本体３の左から右へとスライドされた変位を検出する。この変形例３によれば、角速度センサや加速度センサを備えないデジタルカメラであっても、新たな構成を追加することなくデータの送信指示及び受信指示を検出することができる。
【００８３】
（変形例４）
図２３は、変形例４のデジタルカメラが行う送受信処理の処理手順を示すフローチャートである。なお、図２３において、図１２と同様の処理工程には同一の符号を付している。
【００８４】
変形例４においても、上記した実施の形態と同様の送信指示また受信指示に応じてデータの送受信を切り換えるが、１回の送信でデータの送信に失敗する場合がある。このような場合、ユーザは、送信指示や受信指示を再度行い、データの送受信を繰り返し試みると考えられる。例えば送信指示に着目する。すなわち、図４に示したように、近接通信部１８が設けられた外部機器９のキーボード面の右側端部にカメラ本体３を近づけて右から左へとスライドさせて送信指示した結果、データの送信に失敗したとする。ここで、再度送信指示を行う場合、ユーザは、先ずカメラ本体３を左から右へと動かして外部機器９のキーボード面の右側端部に戻す動作を行い、その後で、再度送信指示を行うこととなる。しかしながら、この外部機器９を元の位置に戻す動作がデータの受信指示に相当するため、デジタルカメラ１において、このカメラ本体３の動きを受信指示と誤って認識してしまうという問題があった。受信指示の場合も同様であり、受信指示をやり直す際のカメラ本体３の動きを送信指示と誤って認識してしまうという問題があった。
【００８５】
そこで、変形例４では、図２３に示すように、送受信制御部は、ステップａ５において変位検出部を起動し、カメラ本体の変位を検出した後、カメラ本体の変位速度が予め設定される所定の速度より遅いか否かを判定する。そして、カメラ本体の変位速度が所定の速度よりも遅ければ（ステップｆ６：Ｙｅｓ）、ステップａ５で検出した変位検出の結果に基づく送信指示および受信指示の判定を行わずにステップａ１５に移る。一方、カメラ本体の変位速度が所定の速度以上の場合には（ステップｆ６：Ｎｏ）、ステップｆ７に移る。
【００８６】
すなわち、ステップｆ７では、送受信制御部は、図４に示したようにカメラ本体３が右から左へとスライドされて動かされた後、続けて図５に示したように左から右へとスライドされて動かされたか否かを判定する。そして、これらの変位が連続して検出されなければ（ステップｆ７：Ｎｏ）、送受信制御部は、ステップａ７に移行して送信指示を判定し、送信指示があれば（ステップａ７：Ｙｅｓ）、送信制御処理を行う（ステップａ９）。あるいは、送受信制御部は、ステップａ１１に移行して受信指示を判定し、受信指示があれば（ステップａ１１：Ｙｅｓ）、受信制御処理を行う（ステップａ１３）。
【００８７】
一方、送受信制御部は、右から左への変位および左から右への変位を連続して検出した場合には（ステップｆ１７：Ｙｅｓ）、その変位の速度（変位速度）を比較する。そして、送受信制御部は、右から左への変位速度が左から右への変位速度よりも速い場合には（ステップｆ１７：Ｙｅｓ）、ステップａ９に移行して送信制御処理を行う。一方、送受信制御部は、右から左への変位速度が左から右への変位速度以下であれば（ステップｆ１７：Ｎｏ）、ステップａ１３に移行して受信制御処理を行う。
【００８８】
この変形例４によれば、変位検出部による変位検出の結果をもとに、検出したカメラ本体の変位速度を判定することができる。そして、変位速度が所定の速度よりも遅いカメラ本体の動きについては送信指示や受信指示の判定対象としない。一方、変位速度が所定の速度以上の場合であって、カメラ本体の右から左への変位および左から右への変位が連続して検出された場合には、変位速度が遅い方の変位を上記したような「カメラ本体を戻す動作」がされたこととし、変位速度が速い方の変位検出の結果をもとにデータの送受信を切り換えることができる。
【００８９】
（他の変形例）
また、上記した実施の形態では、デジタルカメラ１が右手で保持される場合を想定して、図４に示したカメラ本体３の右から左へとスライドされた変位を送信指示とし、図５に示したカメラ本体３の左から右へとスライドされた変位を受信指示とする場合について説明したが、これに限定されるものではない。
【００９０】
例えば、図１や図２に示したデジタルカメラ１とは逆に、カメラ本体の前面側からみて右側の端部部分に左手で保持されるグリップ部が形成される左利き用のデジタルカメラに適用する場合には、図５に示したカメラ本体３の左から右へとスライドされた変位を送信指示として検出することとしてもよい。そして、図４に示したカメラ本体の右から左へとスライドされた変位を受信指示として検出することとしてもよい。
【００９１】
これは、右利きのユーザにとっては、体の外側から内側へのカメラ本体３の変位が図４に示すカメラ本体３の右から左への変位であり、画像を送り出す直感的なアクションであったのに対し、左利きのユーザにとっては、この体の外側から内側へのカメラ本体３の変位が図５に示すカメラ本体３の左から右への変位であるからである。また、左利きのユーザにとっては、体の内側から外側へのカメラ本体３の変位が図４に示すカメラ本体３の右から左への変位であり、画像を受信する直感的なアクションであるからである。
【００９２】
あるいは、左右両利き用に設計されたデジタルカメラに適用する場合であれば、ユーザの利き腕に応じてデータの送信指示と受信指示とを検出することもできる。例えば、デジタルカメラ１において、予めユーザ操作に従って利き腕の設定をしておく。そして、設定された利き腕が右利きの場合には上記した実施の形態と同様にしてデータの送信指示および受信指示を検出し、左利きの場合には、右利きの場合と逆の判定を行ってデータの送信指示および受信指示を検出するようにしてもよい。
【００９３】
図２４は、この場合のデジタルカメラが行う送受信処理の処理手順を示すフローチャートである。なお、図２４において、図１２と同様の処理工程には同一の符号を付している。図２４に示すように、本変形例では、ステップａ５の変位検出部による変位検出の後、送受信制御部が、利き腕の設定を判定する（ステップｇ６）。
【００９４】
そして、送受信制御部は、変位検出部による変位検出の結果をもとに、データの送信指示および受信指示を検出する。このとき、送受信制御部は、ステップｇ６で判定した利き腕の設定が右利きであれば、図４に示したカメラ本体３の右から左へとスライドされた変位を検出した場合に送信指示があったと判定する（ステップｇ７：Ｙｅｓ）。一方、送受信制御部は、ステップｇ６で判定した利き腕の設定が左利きの場合には、右利きの場合と逆に、図５に示したカメラ本体３の左から右へとスライドされた変位を検出した場合に送信指示があったと判定する（ステップｇ７：Ｙｅｓ）。
【００９５】
また、送受信制御部は、ステップｇ６で判定した利き腕の設定が右利きであれば、図５に示したカメラ本体３の左から右へとスライドされた変位を検出した場合に受信指示があったと判定する（ステップｇ１１：Ｙｅｓ）。一方、送受信制御部は、ステップｇ６で判定した利き腕の設定が左利きの場合には、右利きの場合と逆に、図４に示したカメラ本体３の右から左へとスライドされた変位を検出した場合に受信指示があったと判定する（ステップｇ１１：Ｙｅｓ）。
【００９６】
また、カメラ本体３の傾き等を組み合わせた送信指示や受信指示を定義しておくこととしてもよく、より確実にデータの送受信の切り換えを行うことができる。
【００９７】
また、上記した実施の形態では、図１に示したように、グリップ部８を形成するカメラ本体３の前面側からみて左側の端部部分に近接通信部１８を内蔵している場合について説明したが、近接通信部が配設される位置は特に限定されるものではない。また、近接通信部が配設された位置に応じて、送信指示として検出するカメラ本体の変位の方向や受信指示として検出するカメラ本体の変位の方向を適宜設定するようにしてもよい。
【００９８】
また、上記した実施の形態のデジタルカメラ１は、外部機器９との通信が確立した際、送信指示に応じて外部機器９にデータを送信し、受信指示に応じて外部機器９から送信されたデータの受信を行うこととしたが、特定の外部機器とのみ通信を行うようにしてもよい。この場合には、予めデジタルカメラおよび外部機器において送受信する相手を登録しておく。そして、通信が確立した相手が登録されている場合には送受信を行い、登録されていない場合には、送受信を行わない。
【００９９】
また、上記した実施の形態では、ユーザが所有するＰＣやテレビ等の外部機器と近接無線通信を行ってコンテンツデータを受信することとしたが、これに限定されない。例えば、インターネット等に接続するために街中の各所に設置された無線ＬＡＮのアクセスポイントからコンテンツデータを受信することとしてもよい。例えば、観光地に設置されるアクセスポイントでデジタルカメラ１を動かして受信指示を行うことにより、周辺地図や観光情報等をコンテンツデータとして受信し、デジタルカメラ１で閲覧するといったことが可能となる。
【０１００】
また、外部機器９において、テレビの視聴中にデジタルカメラ１との間で通信が確立し、デジタルカメラ１から送信されたデータを受信した場合に、放送番組の出力を中断して受信したデータを優先して再生する処理を行うようにしてもよい。また、ユーザ操作に従って放送番組の出力およびデジタルカメラ１からのデータの再生のどちらを優先するかについて設定できるようにしてもよい。そして、放送番組の出力を優先する設定がされたならば、放送番組の出力中にデジタルカメラ１からのデータを受信した場合であっても、受信したデータを再生しないようにしてもよい。また、必ずしもいずれか一方を優先する必要はなく、例えば受信したデータ用の画面と放送番組用の画面とに表示画面を２分割し、放送番組の映像データとデジタルカメラ１からの静止画データまたは動画データとを各画面に並べて表示するようにしてもよい。
【０１０１】
また、上記した実施の形態のデジタルカメラ１において、さらに、撮像部１１から出力された画像中の顔の領域を検出する顔検出部を設けるようにしてもよい。そして、この顔検出部による顔領域の検出結果をもとに顔の位置を特定し、特定した顔の位置をピント合わせや露出の制御に用いるようにしてもよい。また、顔検出部による顔領域の検出結果をもとに、顔の位置や大きさに応じて動画撮影時における音の集音範囲を可変に設定することとしてもよい。
【０１０２】
また、上記した実施の形態では、デジタルカメラ１に起動部１９を設けた場合について説明したが、外部機器に起動部を設けることとしてもよい。そして、デジタルカメラから通信信号を定期的に送出することとし、この通信信号を受信したときに外部機器が起動される構成としてもよい。
【０１０３】
また、上記した実施の形態では、撮影データを送信するカメラの例としてデジタルカメラについて説明したが、カメラに限らず、例えば携帯電話機やゲーム機、ノートパソコン、携帯型の音楽プレーヤ等、他の機器との間でデータの送受が可能な携帯端末に適用できる。例えば、携帯端末の一例である携帯型の音楽プレーヤにおいて、外部機器との間で音楽データを送受する場合に適用可能である。また、携帯型の音楽プレーヤにおいて、外部機器との間で、音楽データと併せて例えばＣＤジャケットの画像データといったその音楽データに関連付けられたデータを送受する場合にも、同様に適用可能である。
【図面の簡単な説明】
【０１０４】
【図１】デジタルカメラの前面側を示す概略斜視図である。
【図２】デジタルカメラの背面側を示す概略斜視図である。
【図３】デジタルカメラと外部機器とが通信を行う様子を側面側から示した説明図である。
【図４】外部機器に対するデータの送信指示を説明する説明図である。
【図５】外部機器からのデータの受信指示を説明する説明図である。
【図６】デジタルカメラおよび外部機器の主要内部構成の一例を示すブロック図である。
【図７】変位検出部によるカメラ本体の変位検出を説明するための図である。
【図８】加速度センサを用いたカメラ本体の移動量の検出原理の一例を説明する図である。
【図９−１】加速度センサを用いたカメラ本体の移動量の検出原理を説明する他の図である。
【図９−２】加速度センサを用いたカメラ本体の移動量の検出原理を説明する他の図である。
【図９−３】加速度センサを用いたカメラ本体の移動量の検出原理を説明する他の図である。
【図１０】角速度センサを用いたカメラ本体の回転量の検出原理を説明する図である。
【図１１】角速度センサを用いたカメラ本体の回転量の検出原理を説明する他の図である。
【図１２】送受信処理の手順を示すフローチャートである。
【図１３】送信制御処理の手順を示すフローチャートである。
【図１４】受信制御処理の手順を示すフローチャートである。
【図１５】デジタルカメラが行う基本処理の手順を示すフローチャートである。
【図１６】外部機器が行う基本処理の手順を示すフローチャートである。
【図１７】デジタルカメラの主要内部構成の変形例を示すブロック図である。
【図１８】変形例のデジタルカメラと外部機器とが通信を行う様子を側面側から示した説明図である。
【図１９】カメラ本体の基準姿勢の一例を示す図である。
【図２０】基準姿勢とは別のカメラ本体の姿勢の一例を示す図である。
【図２１】デジタルカメラとテレビとが通信を行う様子を側面側から示した説明図である。
【図２２】デジタルカメラの主要内部構成の他の変形例を示すブロック図である。
【図２３】送受信処理の処理手順の変形例を示すフローチャートである。
【図２４】送受信処理の処理手順を他の変形例を示すフローチャートである。
【符号の説明】
【０１０５】
１      デジタルカメラ
３      カメラ本体
４      撮像レンズ
５      レリーズスイッチ
７      ボタンスイッチ
８      グリップ部
１１      撮像部
１２      画像処理部
１３      変位検出部
１４      操作部
１５      表示部
１６      記録部
１７      時計部
１８      近接通信部
１９      起動部
２０      制御部
２０１      送受信制御部
９      外部機器
９１      操作部
９２      表示部
９３      通信部
９４      放送受信部
９５      記録部
９６      近接通信部
９７      制御部
【図１】
2010045681.tif 000003
【図２】
2010045681.tif 000004
【図３】
2010045681.tif 000005
【図４】
2010045681.tif 000006
【図５】
2010045681.tif 000007
【図６】
2010045681.tif 000008
【図７】
2010045681.tif 000009
【図８】
2010045681.tif 000010
【図９−１】
2010045681.tif 000011
【図９−２】
2010045681.tif 000012
【図９−３】
2010045681.tif 000013
【図１０】
2010045681.tif 000014
【図１１】
2010045681.tif 000015
【図１２】
2010045681.tif 000016
【図１３】
2010045681.tif 000017
【図１４】
2010045681.tif 000018
【図１５】
2010045681.tif 000019
【図１６】
2010045681.tif 000020
【図１７】
2010045681.tif 000021
【図１８】
2010045681.tif 000022
【図１９】
2010045681.tif 000023
【図２０】
2010045681.tif 000024
【図２１】
2010045681.tif 000025
【図２２】
2010045681.tif 000026
【図２３】
2010045681.tif 000027
【図２４】
2010045681.tif 000028